(57)【要約】【課題】遊技球の振り分け先を即時に予測することができず、最終的に振り分けがなされるまで、遊技者の興味を惹きつけることができる遊技機の振り分け装置を提供する。【解決手段】遊技盤を流下して入賞した遊技球を導入する導入部と、導入部を経由した遊技球を受け入れる受け入れ口及び受け入れた遊技球を振り分けて排出する選択排出機構と、からなり、選択排出機構は、受け入れ口を経た遊技球を取り込む複数の取り込み溝を有する回転体と、取り込み溝の底部に設けられた可動板と、可動板を回転体の回転角度位置に応じて、可動板を選択的に上昇せしめて遊技球を排出せしめる選択上昇機構と、を有する。【選択図】図４
2008154959.tif 000002
【特許請求の範囲】
【請求項１】
遊技機の振り分け装置であって、
遊技盤を流下して入賞した遊技球を導入する導入部と、
前記導入部を経由した遊技球を受け入れる受け入れ口及び受け入れた遊技球を振り分けて排出する選択排出機構と、からなり
前記選択排出機構は、前記受け入れ口を経た遊技球を取り込む複数の取り込み溝を有する回転体と、
前記取り込み溝の各々の底部に設けられた可動板と、
前記可動板を前記回転体の回転角度位置に応じて、前記可動板を選択的に上昇せしめて前記遊技球を排出せしめる選択上昇機構と、を有することを特徴とする遊技機の振り分け装置。
【請求項２】
前記回転体の下方に固定盤を有し、
前記可動板の各々は、前記取り込み溝内に上下方向において揺動自在であり、
前記可動板の各底面には半径方向において並んだ凸部と凹部が設けられ、
前記固定盤は、前記可動板の凸部と凹部の移動軌跡上であって、これらと対向する面内に凸部若しくは凹部を有することを特徴とする請求項１記載の遊技機の振り分け装置。
【請求項３】
少なくとも前記固定盤と前記可動板とが光透過性であって、
前記固定盤の下方に配置されて前記固定盤の裏面に光を照射する発光体を有することを特徴とする請求項１又は２記載の遊技機の振り分け装置。
【請求項４】
前記発光体は、前記可動板のいずれかを識別できるように光を照射することを特徴とする請求項３記載の遊技機の振り分け装置。
【請求項５】
前記発光体は、前記可動板の各々の形成領域に対応する複数の発光領域を有し、前記発光領域毎に互いに異なる発光色の光を照射することを特徴とする請求項４に記載の遊技機の振り分け装置。
【発明の詳細な説明】
【技術分野】
【０００１】
本発明はパチンコ機等の遊技機に関し、特に遊技球の流路を振り分ける振り分け装置に関する。
【背景技術】
【０００２】
従来、遊技機にはいわゆる役物と呼ばれる入賞装置に供給される遊技球の振り分け先の善し悪しを遊技のポイントにするものが知られている。より具体的に記載すると、かかる遊技機は、所定の入賞口を通過した遊技球を振分け装置で複数の通路のうちのいずれかに振り分けて、特定の通過口を遊技球が通過したときに、所定数の賞球を払い出したり、特定遊技を開始したり、あるいは遊技盤面に設けられた表示部の遊技画像の変動を開始したりするのである。かかる振分け機構としては、振分けを行う構造体の形状を利用するもの、磁石を利用するもの、モータ等の電気的駆動手段を用いるもの、あるいはこれらを組み合わせたものがある。近年、遊技球の振分け先を電気的に制御するために、電気的駆動手段が多用された振分け装置が主に開発されている。たとえば、モータ等の電気的駆動手段と構造体とを組み合わせたものとして、回転円盤体を用いた振分け装置が知られている。
【特許文献１】特開２００４−２３６８３８号公報
【発明の開示】
【発明が解決しようとする課題】
【０００３】
上記特許文献１の如き回転円盤体を有する遊技球の振分け装置においては、遊技者は遊技球が振分け先の各通路を通過する前に該回転円盤体に設けられた遊技球保持部に収まった遊技球の位置に応じて最終的な振分け先を完全に予想することができてしまう。すなわち、遊技球が最終的な振分け先の通路を通過する前に、振分け結果が遊技者に予想されることとなり、また、回転円盤体に収まった遊技球の位置が遊技者にとって何ら有利な結果をもたらさないことを遊技者に予想させると、最終的な振り分け結果が得られる前の早い段階で当該遊技球の振分け先に対する遊技者の関心が失われてしまい、結果的に遊技機に対する魅力が低下することとなっていた。
【０００４】
本発明は上述した問題点が一例として挙げられる課題を解決するためになされたものであり、遊技者が遊技球の振り分け先を即時に予測することができず、最終的に振り分けがなされるまで、遊技者の興味を惹きつけることができる遊技機の振り分け装置を提供することを目的とする。
【課題を解決するための手段】
【０００５】
本発明による遊技機の振り分け装置は、遊技機の振り分け装置であって、遊技盤を流下して入賞した遊技球を導入する導入部と、前記導入部を経由した遊技球を受け入れる受け入れ口及び受け入れた遊技球を振り分けて排出する選択排出機構と、からなり前記選択排出機構は、前記受け入れ口を経た遊技球を取り込む複数の取り込み溝を有する回転体と、前記取り込み溝の各々の底部に設けられた可動板と、前記可動板を前記回転体の回転角度位置に応じて、前記可動板を選択的に上昇せしめて前記遊技球を排出せしめる選択上昇機構と、を有することを特徴としている。
【発明を実施するための最良の形態】
【０００６】
以下、本発明の実施例について添付図面を参照しつつ説明する。尚、以下に示す図において、実質的に同一又は等価な構成要素、部分には同一の参照符を付している。
（実施例１）
図１は本発明の振り分け装置を適用したパチンコ機１０の概略正面図である。パチンコ機１０には、本体枠１１と、本体枠１１の前面にガラス等の透明窓を含む窓枠（図示せず）が開閉自在に設けられて、遊技者が遊技盤１２を視認できるようにするとともに、遊技盤１２を外部から保護している。遊技盤１２の下方には、操作ハンドル１３が取り付けられており、遊技者が、操作ハンドル１３に手を添えて右に回すことにより発射装置が稼動し、受皿１４に貯留された遊技球が、発射装置に導かれ１球ずつ発射される。遊技盤１２には発射された遊技球を遊技盤１２に誘導するガイドレール１５が植立され、ガイドレール１５で画成された領域が遊技領域１６を構成している。遊技盤１２上には遊技領域１６の略全面に亘って複数の遊技釘２１が植設されており、遊技領域１６に打ち出された遊技球は、遊技釘２１との衝突を繰り返す度、その流下経路を変化させ、これによって遊技者は様々な遊技球の流下態様を楽しむことができるようになっている。また、遊技領域１６には、遊技釘以外にも、遊技球の流下経路に変化を与える障害物として風車２２が設けられている。
【０００７】
遊技領域１６の下方には、始動入賞口１７が設けられており、その内部には、入球センサ（図示せず）が設けられている。遊技球が始動入賞口１７に入球すると、入球センサ（図示せず）によって入球したことが検知され、所定数の賞球がパチンコ機１０から払い出されるとともに遊技球の開閉羽根２０が所定回数の開閉動作を行う。遊技球は、開閉羽根２０が開いている期間のみ、中央役物装置１９の内部に侵入することが可能となる。尚、開閉羽根２０が開放している期間に中央役物装置１９の内部に侵入した遊技球は入球センサ３００（図１１参照）によって検知されるようになっている。中央役物装置１９の内部には、可動式の振り分け装置１００が設けられている。遊技領域１６上に打ち出された遊技球のうち開閉羽根２０を通過した遊技球は、中央役物装置１９の内部に侵入し、入賞球となって導入部４０を経由して振分け装置１００に導かれる。振り分け装置１００は中央役物装置１９内部に侵入した遊技球を大当たり入賞口（図示せず）又は一般入賞口（図示せず）のいずれかに振り分ける。振り分け装置１００による振り分け動作の結果、遊技球が大当たり入賞口に入球すると、パチンコ機１０はいわゆる大当たり状態となり、遊技者にとって有利な大当たり遊技が開始される。大当たり遊技期間中は、開閉羽根２０は開閉動作を繰り返し、多数の遊技球が中央役物装置１９の内部に侵入可能となる。これによって遊技者は多数の賞球を獲得することができるようになっている。一方、振り分け装置１００による振り分け動作の結果、遊技球が一般入賞口に入球すると、パチンコ機１０から所定数の賞球が払い出される。すなわち、この場合大当たり遊技は開始されないので、一般入賞口への入球はいわゆるはずれを意味する。
【０００８】
図２は、本発明に係る振り分け装置１００を構成する回転体およびその駆動機構の斜視図である。図３は、回転体の上面図、図４（ａ）は、図３におけるＡ−Ａ線断面図、図４（ｂ）は同Ｂ−Ｂ線断面図であり、回転体３０およびその駆動機構を示している。図２〜４に示す如く、振り分け装置１００は、略円盤形状の回転体３０、回転体３０の中心部から鉛直方向に下方に伸長する軸部５０、軸部５０に連結されるステッピングモータ５１を含んでいる。ステッピングモータ５１は、パチンコ機１０の主たる制御を司る主制御装置（図示せず）の制御に基づく駆動信号に従って駆動され、その動力は軸部５０に伝達される。これにより、回転体３０は、軸部５０を回転軸として例えば時計回りで回転駆動するようになっている。
【０００９】
略円盤形状に形成された回転体３０の外周部には、その円周方向に沿って並置された複数の遊技球の取り込み溝４１〜４４が設けられている。各取り込み溝４１〜４４は、１つの遊技球を保持することができる程度の大きさの略半円形状の切り欠き凹部によって形成される。尚、本実施例においては図２等に示すように回転体３０には４つの取り込み溝を設ける構成としたが、これに限定されるものではなく、適宜変更することが可能である。
【００１０】
回転体３０の外周には、回転体３０の円周に沿って互いに離間した位置に固設された外周壁６０ａ、６０ｂ、６０ｃが設けられている。外周壁６０ａと６０ｃとを隔てるスペースにより遊技球を回転体３０に導く受け入れ口６１が形成される。開閉羽根２０が開放している期間に中央役物装置１９の内部に侵入した遊技球は、導入部４０を経由して受け入れ口６１まで導かれ回転体３０に到達する。導入部４０は、例えば開閉羽根２０と受け入れ口６１との間に形成された略樋状の案内通路によって形成することができるが、これに限らず中央役物装置１９内部に侵入した遊技球を受け入れ口６１まで導く機能を有するものであればいかなる形態であってもよい。また、外周壁６０ａと６０ｂとを隔てるスペースによって遊技球を回転体３０から排出する第１の排出口６２が形成される。更に、外周壁６０ｂと６０ｃとを隔てるスペースによって第２の排出口６３が形成される。第１の排出口６２は、大当たり入賞口（図示せず）と連通し、ここから排出された遊技球は、大当たり入賞口に到達する。すなわち、第１の排出口６２は大当たりルートを形成する。一方、第２の排出口６３は一般入賞口（図示せず）と連通し、ここから排出された遊技球は一般入賞口に到達する。すなわち、第２の排出口６３は、はずれルートを形成する。受け入れ口６１を経由して回転体３０に導かれた遊技球は、取り込み溝４１〜４４のいずれかに保持され、回転体３０の回転駆動に伴って、その円周方向に沿って移動し、第１の排出口６２又は第２の排出口６３のいずれかより排出されることとなる。すなわち、本発明に係る振り分け装置１００は、遊技球を大当たりルート若しくは、はずれルートのいずれかに選択的に排出せしめる選択排出機構を有している。かかる選択排出機構について以下に説明する。
【００１１】
図４（ａ）および（ｂ）に示す如く、回転体３０に設けられた取り込み溝４１〜４４の底部には、それぞれ可動板３１〜３４が設けられている。可動板３１〜３４の各々は、回転体３０の外周部近傍に設けられた軸部３１ｃ〜３４ｃによって軸支され、軸部３１ｃ〜３４ｃを回転軸として上下方向に揺動自在に設けられている。図４（ａ）および（ｂ）には、可動板が上昇位置にある状態を点線で示している。取り込み溝４１〜４４に保持された遊技球は、回転体３０の回転駆動に伴ってその円周上を移動し、回転体３０の回転移動位置に応じて可動板３１〜３４を選択的に上昇位置に位置決めする選択上昇機構により、遊技球は、第１の排出口６２又は第２の排出口のいずれかから排出され、大当たり入賞口（図示せず）又は一般入賞口（図示せず）のいずれかに振り分けられる。
【００１２】
可動板３１〜３４の底面には、略断面半円形状の凸部３１ａ〜３４ａと凹部３１ｂ〜３４ｂとがそれぞれ回転体３０の半径方向に並んで形成されている。ここで、可動板３１のみ他の可動板３２〜３４とは異なる並び順で凸部３１ａおよび凹部３１ｂが形成されている。すなわち、可動板３１の底面に設けられた凸部３１ａは、回転体３０の半径方向中心側に設けられ、凹部３１ｂは回転体３０の半径方向外周側に設けられている。これに対し、可動板３１以外の他の可動板３２〜３４は、底面に設けられた凸部３２ａ〜３４ａが回転体３０の半径方向外周側に設けられ、凹部３２ｂ〜３４ｂが回転体３０の半径方向中心側に設けられている。かかる可動板の底部に形成された凹部および凸部の並び順の違いによって、後述する固定盤７０に形成された凹凸形状との関係で、取り込み溝４１〜４４に保持された遊技球の振り分け先を異ならせるようにしている。
【００１３】
図５は、回転体３０の下方に設けられた固定盤７０の上面図である。図６（ａ）は図５におけるＣ−Ｃ線断面図、図６（ｂ）は同Ｄ−Ｄ線断面図を示している。固定盤７０には可動板３１〜３４の半径方向中心側に設けられた凹部（３２ｂ〜３４ｂ）若しくは凸部（３１ａ）の移動軌跡上に凹部７１ｂおよび凸部７１ａが形成されている。凹部７１ｂおよび凸部７１ａの形成領域は略円環形状を呈しており、図５中のクロスハッチ部分で示される凸部７１ａは、上記略円環領域のうち第１の排出口６２近傍に形成され、その他の領域に凹部７１ｂが形成される。
【００１４】
更に、固定盤７０には可動板３１〜３４の半径方向外周側に設けられた凹部（３１ｂ）若しくは凸部（３２ａ〜３４ａ）の移動軌跡上に凹部７２ｂおよび凸部７２ａが形成されている。凹部７２ｂおよび凸部７２ａの形成領域は略円環形状を呈しており、図５中の斜線部分で示される凸部７２ａは、上記略円環領域のうち第２の排出口６２近傍に形成され、その他の領域に凹部７２ｂが形成される。また、固定盤７０には、その中心部に回転体３０の軸部５０の貫通孔７３が設けられている。
【００１５】
可動板３１〜３４の底面に設けられた凹部３１ｂ〜３４ｂおよび凸部３１ａ〜３４ａは、固定盤７０に形成された凹部７１ｂ、７２ｂおよび凸部７１ａ、７２ａと摺接可能に対向配置される。可動板３１〜３４は、回転体３０の回転駆動に伴って、固定盤７０上を移動し、その底面に形成された凸部３１ａ〜３４ａと、固定盤７０に形成された凸部７１ａ又は７２ａとが接触することによって軸部３１ｃ〜３４ｃに軸支された状態で上方に持ち上げられ、上昇位置に位置決めされる。一方、可動板の底面に形成された突部３１ａ〜３４ａは、固定盤に形成された凹部７１ｂ又は７２ｂに嵌入するようになっており、この状態においては可動板は水平位置に位置決めされる。同様に、固定盤に形成された凸部７１ａ又は７２ａは、可動板の底面に形成された凹部３１ｂ〜３４ｂに嵌入するようになっており、この状態においても可動板は水平位置に位置決めされる。このように可動板３１〜３４は、その底面に形成された凹部および凸部と、固定盤７０に形成された凹部および凸部との係合状態に応じて、上昇位置若しくは水平位置に位置決めされる。すなわち、固定盤７０には、可動板の底面に設けられた凹部および凸部の移動軌跡上の所定位置に凹部および凸部が形成されているため、可動板３１〜３４は、回転体３０の回転角度位置に応じて選択的に上昇位置又は水平位置に位置決めされる。これにより、本発明の選択上昇機構が構成される。
【００１６】
図７および図８は、固定盤７０上の各位置における可動板３１〜３４の各々の状態を示す図であり、図７（ａ）は、可動板３１が受け入れ口６１の近傍に位置し、可動板３３が第１の排出口６２の近傍に位置しているときの上面図であり、図７（ｂ）は、図７（ａ）におけるＥ−Ｅ線断面図である。可動板３１は、受け入れ口６１の近傍においては、その底面に設けられた凸部３１ａが、固定盤７０に設けられた凹部７１ｂに嵌入し水平位置に位置決めされる。すなわち、可動板３１が受け入れ口６１の近傍に位置しているときは、可動板３１は水平位置を保つことによって、取り込み溝４１への遊技球の取り込みを許容する。尚、図５に示すように、受け入れ口６１近傍においては、固定盤７０には凹部のみ（７１ｂ、７２ｂ）が形成されているため、可動板３１のみならず他のいずれの可動板３２〜３４が受け入れ口６１近傍に位置するときも、各可動板３２〜３３は水平位置に位置決めされ、取り込み溝４２〜４４への遊技球の取り込みを許容する。
【００１７】
一方、可動板３３は、第１の排出口６２の近傍においては、その底面に設けられた凸部３３ａが固定盤７０に設けられた凹部７２ｂに嵌入するとともに、固定盤７０に設けられた凸部７１ａが可動板３３の底面に設けられた凹部３３ｂに嵌入することにより、水平位置に位置決めされる。つまり、可動板３３は、第１の排出口６２の近傍においては水平位置に位置決めされるため、取り込み溝４３に保持された遊技球は、第１の排出口６２から排出されず、大当たり入賞口（図示せず）に到達することができないようになっている。また、上記したように可動板３２および３４は、その底面に形成される凹部および凸部の並び順序が、可動板３３と同一であることから、第１の排出口６２の近傍における状態は、上記した可動板３３と同様であり、水平位置に位置決めされることとなる。すなわち、取り込み溝４２および４４に保持された遊技球も、第１の排出口６２からは排出されず、大当たり入賞口（図示せず）に振り分けられないようになっている。
【００１８】
次に図８（ａ）は、回転体３０が上記図７（ａ）に示す位置から１８０度回転し、可動板３１が第１の排出口６２の近傍に位置するとともに可動板３２が第２の排出口６３の近傍に位置しているときの上面図であり、図８（ｂ）は図８（ａ）におけるＦ−Ｆ線断面図、図８（ｃ）は同Ｇ−Ｇ線断面図である。図８（ｂ）に示す如く、可動板３１は、第１の排出口６２の近傍においては、その底面に設けられた凸部３１ａが、固定盤７０に設けられた凸部７１ａと接触し、軸部３１ｃによって軸支された状態で、上方に押し上げられることにより上昇位置に位置決めされる。すなわち、可動板３１が設けられた取り込み溝４１に保持された遊技球は、第１の排出口６２から排出され、大当たり入賞口（図示せず）に振り分けられる。一方、図８（ｃ）に示す如く、可動板３２は、第２の排出口６３の近傍においては、その底面に設けられた凸部３２ａが、固定盤７０に設けられた凸部７２ａと接触し、軸部３２ｃによって軸支された状態で、上方に押し上げられることにより上昇位置に位置決めされる。すなわち、可動板３２が設けられた取り込み溝４２に保持された遊技球は、第２の排出口６２から排出され、通常入賞口（図示せず）に振り分けられる。また、上記したように可動板３３および３４は、その底面に形成される凹部および凸部の並び順序が、可動板３２と同一であることから、第２の排出口６３の近傍における状態は、上記した可動板３２と同様であり、上昇位置に位置決めされることとなる。つまり、取り込み溝４３および４４に保持された遊技球も、第２の排出口から排出され、通常入賞口（図示せず）に振り分けられることとなる。
【００１９】
すなわち、振り分け装置１００に到来した遊技球は、受け入れ口６１を経由して回転体３０に形成された取り込み溝４１〜４４のいずれかに保持され、回転体３０の回転駆動によって、その円周方向に沿って移動する。取り込み溝４１に保持された遊技球は、第１の排出口６２の位置まで移動すると、取り込み溝４１の底部に設けられた可動板３１が上昇位置に位置決めされ、遊技球は、第１の排出口６２から排出され、大当たり入賞口（図示せず）に振り分けられる。一方、取り込み溝４２〜４４に保持された遊技球は、第２の排出口６３の位置まで移動すると、各可動板３２〜３４が上昇位置に位置決めされ、遊技球は、第２の排出口６３から排出され、一般入賞口（図示せず）に振り分けられる。
【００２０】
各取り込み溝４１〜４４は、各々を識別できる外観上の差異はなく、また、遊技者が視認できない可動板３１〜３４の底面に形成された凹凸形状および固定盤７０の凹凸形状の係合状態によって振り分け動作を実現しているため、遊技者は遊技球が取り込み溝に保持された段階で振り分け先を予測することは不可能であり、最終的な振り分けがなされるまで、遊技者の興味を惹きつけることができる。また、本発明の振り分け装置によれば、可動板の底面および固定盤７０の凹凸形状によって振り分け動作を実現しているので、可動板を駆動するためのモータやソレノイド等の電気的駆動手段を必要とせず簡単かつ低コストの振り分け装置を提供することができる。
（実施例２）
次に、本発明の振り分け装置の第２実施例について以下に説明する。図９は、本発明に係る振り分け装置の第２実施例の構成を示す断面図である。第２実施例の振り分け装置２００は、第１実施例の振り分け装置１００の構成に加え、複数のＬＥＤ９０が実装されたＬＥＤ基板８０が、固定盤７０の下方に設けられている。図１０は、複数のＬＥＤ９０が実装されたＬＥＤ基板８０の上面図である。ＬＥＤ基板８０は、回転体３０とほぼ同一形状の円形であり、ＬＥＤ９０は例えば、赤、青、黄、緑の発光色を有する４種類のＬＥＤによって構成され、各発光色のＬＥＤは、ＬＥＤ基板８０上にほぼ均等に分布するように分散配置される。ＬＥＤ基板８０の中央部には、回転体３０の回転軸となる軸部５０の貫通孔８１が形成されている。ＬＥＤ基板８０は軸部５０に接続され、回転体３０とともに回転駆動するようになっている。
【００２１】
第２実施例においては、ＬＥＤ基板８０の上方に位置する固定盤７０および可動板３１〜３４は、例えばアクリル等の光透過性の材料で構成され、下方より照射されるＬＥＤ９０からの光は、固定盤７０および可動板３１〜３４を介して外部に出射し、遊技者から視認できるようになっている。尚、光源としてはＬＥＤに限らず、ハロゲンランプ等の発光体とカラーフィルタとを組み合わせたものを用いることとしてもよい。
【００２２】
図１１は、ＬＥＤ９０の発光駆動装置のブロック図である。入球センサ３００は、遊技球が開放羽根２０を通過し、中央役物装置１９内部に侵入したことを検知すると、検知信号を生成する。入球センサとしては、例えば光学的センサ、磁気的センサを用いることができる。
【００２３】
発光制御部４００は、入球センサ３００から検知信号を受信するとＬＥＤ９０の発光態様を決定し、発光態様に対応した制御信号を生成する。具体的には、発光制御装置４００は、ＬＥＤ基板８０上に実装されたＬＥＤ９０の発光領域を、各取り込み溝４１〜４４に対応させて分割し、分割した発光領域毎に発光色を決定する。すなわち、各取り込み溝４１〜４４からは、それぞれ異なる色の光が固定盤７０および可動板３１〜３４を介して出射される。発光制御部４００は発光領域毎の発光色をランダムに決定することとしてもよいが、各取り込み溝４１〜４４に保持された遊技球が大当たり入賞口（図示せず）に至る信頼度の大小を発光色によって示すこととしてもよい。例えば、取り込み溝４１に保持された遊技球は、上記選択上昇機構によって大当たり入賞口に振り分けられるので、発光制御部４００は、取り込み溝４１に対応する発光領域のＬＥＤのうち、例えば信頼度１００％を示す赤色の発光色を有するＬＥＤのみを発光させるべく制御信号を生成する。一方、他の取り込み溝４２〜４４に保持された遊技球は、大当たり入賞口には振り分けられないので、発光制御部４００は、取り込み溝４２に対応する発光領域のＬＥＤのうち、例えば信頼度７０％を示す黄色の発光色を有するＬＥＤのみを発光させるべく制御信号を生成し、取り込み溝４３に対応する発光領域のＬＥＤのうち、例えば信頼度５０％を示す緑色の発光色を有するＬＥＤのみを発光させるべく制御信号を生成し、取り込み溝４４に対応する発光領域のＬＥＤのうち、例えば信頼度３０％を示す青色の発光色を有するＬＥＤのみを発光させるべく制御信号を生成する。尚、上記した各取り込み溝と発光色との対応関係は、固定化されているものではなく、遊技球が可動羽根２０を通過し、中央役物装置１９内部に入球する都度発光領域毎の発光色の決定がなされ、各取り込み溝から出射される光の発光色は都度変化しつつ各取り込み溝の大当たり信頼度を遊技者に告知する。
【００２４】
ＬＥＤ駆動部５００は、発光制御部４００から供給される制御信号に基づき、発光駆動すべきＬＥＤに駆動電圧を供給し、ＬＥＤ９０を発光せしめる。そして、駆動電圧供給開始後、所定期間経過をもって駆動電圧の供給を停止する。
【００２５】
以上の説明から明らかなように、本発明の第２実施例に係る振り分け装置によれば、複数の発光色のＬＥＤから放射される光が光透過性の材料で構成された固定盤７０および可動板３１〜３４を介して出射され、遊技者がこれを視認することができるようになっているので、遊技の演出効果を高めることができる。また、各取り込み溝より出射される光の色によって、取り込み溝に保持された遊技球が大当たり入賞口に至る信頼度を表示するので、遊技者の期待感を煽り、振り分け装置によって最終的な振り分けがなされるまで、遊技者の興味を惹きつけることができる。
【図面の簡単な説明】
【００２６】
【図１】本発明の実施例である振り分け装置を適用したパチンコ機の概略正面図である。
【図２】本発明の実施例に係る回転体およびその駆動機構を示す斜視図である。
【図３】本発明の実施例である振り分け装置の上面図である。
【図４】（ａ）図３におけるＡ―Ａ線断面図であり、（ｂ）は図３におけるＢ−Ｂ線断面図である。
【図５】本発明の実施例に係る固定盤の上面図である。
【図６】（ａ）は図５におけるＣ−Ｃ線断面図、（ｂ）は図５におけるＤ−Ｄ線断面図である。
【図７】（ａ）は回転体の上面図、（ｂ）は図７（ａ）におけるＥ−Ｅ線断面図である。
【図８】（ａ）は回転体の上面図、（ｂ）は図７（ａ）におけるＦ−Ｆ線断面図、（ｃ）は図７（ａ）におけるＧ−Ｇ線断面図である。
【図９】本発明の他の実施例である振り分け装置の断面図である。
【図１０】本発明の他の実施例に係る複数のＬＥＤを実装したＬＥＤ基板の上面図である。
【図１１】本発明の他の実施例に係るＬＥＤ発光駆動装置のブロック図である。
【符号の説明】
【００２７】
１０  パチンコ機
１２  遊技盤
３０  回転体
３１〜３４  可動板
４０  導入部
４１〜４４  取り込み溝
６１  受け入れ口
６２  第１の排出口
６３  第２の排出口
７０  固定盤
９０  ＬＥＤ
１００  振り分け装置
２００  振り分け装置
３００  入球センサ
４００  発光制御部
５００  ＬＥＤ駆動部
【図１】
2008154959.tif 000003
【図２】
2008154959.tif 000004
【図３】
2008154959.tif 000005
【図４】
2008154959.tif 000006
【図５】
2008154959.tif 000007
【図６】
2008154959.tif 000008
【図７】
2008154959.tif 000009
【図８】
2008154959.tif 000010
【図９】
2008154959.tif 000011
【図１０】
2008154959.tif 000012
【図１１】
2008154959.tif 000013